【事件の表示】
　平成１年特許願第９６７１１号「リードフレーム」拒絶査定に対する審判事件〔平成２年１１月８日出願公開、特開平２−２７３９６２、平成７年８月２３日出願公告、特公平７−７９１４７、請求項の数（８）〕について、次のとおり審決する。
【結　論】
　原査定を取り消す。
　本願の発明は、特許すべきものとする。
【理　由】
［１］手続の経緯・本願発明の要旨
　本願は、平成１年４月１７日の出願であって、その発明の要旨は、出願公告された後の平成１２年１月２８日付けの手続補正書により補正された明細書及び図面の記載からみて、その特許請求の範囲の請求項１〜８に記載された次のとおりのものである。
　「（１）平行に離間して延在した連結条体と、この連結条体の中間に実質的に設けられた複数のタブと、このタブに一端が近接して設けられた複数のリードと、このリードの他端を夫々接続し前記連結条体間を直線状に橋絡するリード接続橋体とを具備するリードフレームに於いて、前記リード接続橋体の長手方向に、１本以上の第１のスリットを設け、隣り合う前記リード接続橋体の間に第２のスリットを設け、前記リードの他端が前記第１のスリットの内側辺に接続され、且つ前記第１のスリットの外側辺が歪吸収体を形成するように構成したことを特徴とするリードフレーム。
（２）前記リードは連結条体と平行で且つ前記タブを中心に２方向に設けられたことを特徴とした請求項第１項記載のリードフレーム。
（３）前記リードは前記タブを中心に４方向に設けられたことを特徴とした請求項第１項記載のリードフレーム。
（４）前記連結条体の長さ方向に設け、この連結条体に接続されたリード群の長さ以上の長さで設けられた１本以上の第３のスリットを具備することを特徴とした請求項第３項記載のリードフレーム。
（５）平行に離間して延在した連結条体と、
　この連結条体の中間に実質的に点在された複数のタブと、
　このタブに一端が近接して設けられた複数のリードと、
　このリードの他端を夫々接続し前記連結条体間を直線状に橋絡するリード接続橋体と、
　前記連結条体と前記タブとの間および前記リード接続橋体と前記タブとの間に設けられ、前記複数のリードの中間位置で前記リード間を橋絡する枠体とを具備するリードフレームに於いて、
　前記リード接続橋体の長手方向に設け、このリード接続橋体に接続されたリード群の長さ以上の長さで設けられた１本以上の第１のスリットを設け、
　隣り合う前記リード接続橋体の間に第２のスリットを設け、
　前記リードの他端が前記第１のスリットの内側辺に接続され、且つ前記第１のスリットの外側辺が歪吸収体を形成するように構成したことを特徴とするリードフレーム。
（６）前記リードは前記連結条体と平行で且つ前記タブを中心に２方向に設けられたことを特徴とした請求項第５項記載のリードフレーム。
（７）前記リードは前記タブを中心に４方向に設けられたことを特徴とした請求項第５項記載のリードフレーム。
（８）前記連結条体の長さ方向に設け、この連結条体に接続されたリード群の長さ以上の長さで設けられた１本以上の第３のスリットを設けたことを特徴とした請求項第７項記載のリードフレーム。」（以下、「本願第１〜８発明」という。）
　
［２］原査定の拒絶の理由の概要
　これに対し、原査定の拒絶の理由である特許異議の決定の理由の概要は、補正前の本願第１発明は、甲第１号証に記載された発明に基づいて当業者が容易に発明をすることができたものであるから、特許法第２９条第２項の規定により特許を受けることができない、というものである。
　
［３］引用例
　甲第１号証の特開昭５８−１５１０５０号公報（以下、「引用例」という。）には、リードフレームに関する発明が、第１、２図とともに記載され、さらに、
　「従来において用いられたリードフレームの一例は第２図に示される。
　このようなリードフレームを用いてＩＣを製造した場合、次のような問題があった。
　レジンモールド直後の高い温度の状態から常温に冷却される間にリードフレームとレジンの熱膨張係数の不一致（レジンの方が熱膨張係数が大きい）に基づきリードフレームの各モールド部でレジンの収縮力によってリードが収縮する現象が生じ、それに起因してリードフレームに歪み、反りが発生し、しばしばレジンがリードフレームから剥離するという問題があった。
　本発明はレジンモールドに際してのパッケージの反り、歪みを少なくすることを目的とするものである。」（第１頁右欄３〜１７行）、
　「第１図は本発明の一実施例を示す。
　・・・７は相隣接するリード部相互間を仕切る枠体である。
　この枠体７はリードフレームの剛性を保つ等のために必要なもので、これがないとリードの先端部が弱くなり、製造工程中に折れたりするので設けられている。そして、この枠体７には幅０．１〜０．６ｍｍのスリットが設けられている。
　スリットを設けた理由は前述の如く、リードフレームの各モールド部においてレジンの収縮力によってリードが収縮する現象が生じ、それに起因してリードフレームに歪みが生じるので、スリットによってリードフレーム自体の剛性を弱め、その歪みを吸収できるようにするためである。
　すなわち、リードフレームの両側面５に設けたスリット６は、リードフレームの長手方向に生ずる歪みを吸収する。これによって、レジンの収縮力によってリードフレームが長手方向に収縮してリードフレーム全体が長手方向に反ることを防止できる。これはＩＣの信頼性や製造上の作業性の向上に寄与する。
　また、枠体部７に設けたスリット８は、リードフレームの幅員方向に生ずる歪みを吸収する。これによって、パッケージの反りを防止できる。」（第２頁左上欄１０行〜右上欄末行）
　
［４］対比・判断
（１）本願第１〜４発明について
　本願第１発明と引用例とを対比すると、引用例に記載の「側面部５」、「リード１」、「枠体部７」及び「スリット８」は、本願第１発明の「連結条体」、「リード」、「リード接続橋体」及び「第１のスリット」に相当し、また、引用例の第１図の記載からみて、枠体部７のスリット８には、その両側に内側辺が存在することは明らかであるから、両者は、
　「平行に離間して延在した連結条体と、この連結条体の中間に実質的に設けられた複数のタブと、このタブに一端が近接して設けられた複数のリードと、このリードの他端を夫々接続し前記連結条体間を直線状に橋絡するリード接続橋体とを具備するリードフレームに於いて、前記リード接続橋体の長手方向に、１本の第１のスリットを設け、前記リードの他端が前記第１のスリットの内側辺に接続されたリードフレーム。」
の点で一致するものの、次の点で相違する。
　本願第１発明は、隣り合うリード接続橋体の間に第２のスリットを設けて、第１のスリットの外側辺により歪吸収体を形成するのに対し、引用例に記載のものは、第２のスリットに相当するものは存在しないので、外側辺に相当するものも存在しない点。
　そこで、上記相違点について、以下検討する。
　本願第１発明は、隣り合うリード接続橋体の間に第２のスリットを設けているので、第１のスリットには外側辺が形成され、この外側辺が歪吸収体を形成することにより、樹脂封止する際の樹脂の収縮応力がこの歪吸収体に集中し、この歪吸収体が大きく変形することにより、第１のスリットの内側辺の変形を防止できるようにしたものである。
　一方、引用例に記載の枠体部７に設けた、本願第１発明の第１のスリットに相当するスリット８は、リードフレームの幅員方向に生ずる歪みを吸収するものであるが、この歪みの吸収は、本願第１発明の内側辺に相当するスリット８の両側にある内側辺が変形するすることによるものであるから、引用例には、本願第１発明のように、第１のスリットの外側辺が歪みを吸収することにより、第１のスリット８の内側辺の変形を防止するという課題もその課題を解決する手段も存在しないから、本願第１発明は引用例に記載のものから容易に想到できるものではない。
　また、本願第２〜４発明については、本願第１発明を引用してさらに限定した発明であるから、本願第１発明と同じ理由により、引用例に記載の発明に基づいて当業者が容易に発明をすることができたものではない。
　
（２）本願第５〜８発明について
　本願第５発明は、本願第１発明の構成に、さらに、リードフレームに具備するものとして、「前記連結条体と前記タブとの間および前記リード接続橋体と前記タブとの間に設けられ、前記複数のリードの中間位置で前記リード間を橋絡する枠体」を付加して限定するとともに、１本以上の第１のスリットが、「このリード接続橋体に接続されたリード群の長さ以上の長さで設けられた」ものであることを限定したものである。
　そうしてみると、本願第１発明と同じ理由により、引用例に記載の発明に基づいて当業者が容易に発明をすることができたものではない。
　また、本願第６〜８発明については、本願第５発明を引用してさらに限定した発明であるから、本願第５発明と同じ理由により、引用例に記載の発明に基づいて当業者が容易に発明をすることができたものではない。
　
　そして、本願第１〜８発明は、リード接続橋体や連結条体に１本以上の第１のスリットを設けるとともに、隣り合うリード接続橋体の間に第２のスリットを設けることで、第１のスリットの外側辺に形成した歪吸収体が樹脂収縮の応力を吸収する、という明細書に記載の顕著な効果を奏するものである。
　
［５］むすび
　したがって、本願第１〜８発明は、上記引用例に記載された発明に基づいて当業者が容易に発明をすることができたものではない。
　また、他に本願を拒絶すべき理由を発見しない。
　よって、結論のとおり審決する。